(57)【特許請求の範囲】
【請求項１】
第１ゴミ収納部を有する第１ゴミ箱部と、前記第１ゴミ箱部の上に取り外し可能に重ねられ第２ゴミ収納部を有する第２ゴミ箱部とを備えたゴミ箱であって、
前記第１ゴミ箱部の上端部と前記第２ゴミ箱部の下端部との何れか一方の端部に当該端部の全周にわたって延びるように形成された第１嵌挿部と、
前記何れか他方の端部に当該端部の全周にわたって延びるように形成され且つ前記第１嵌挿部の外周側に対して上下方向に嵌挿する第２嵌挿部と、
前記第１嵌挿部の周方向の一部に当該第1嵌装部の周面の一部を構成するように形成され且つ互いに対向するように配置された２つの係合部と、
前記第２嵌挿部の周方向の一部に当該第２嵌装部の周面の一部を構成するように形成され且つ前記第１嵌挿部と前記第２嵌挿部との嵌挿に応じて前記係合部のそれぞれと係脱自在に係合する２つの被係合部と、
前記係合部と前記被係合部との係合を解除操作する係合解除操作部とを備え、
前記係合部と前記被係合部との何れか一方は、その周面から他方の周面に向かって突出する係合凸部を備え、
前記係合部と前記被係合部との何れか他方は、その周面に形成されて前記係合凸部を係脱自在に受容する係合受容部を備え、
前記被係合部は、可撓性を有し、
前記係合解除操作部は、前記被係合部の少なくとも一つに、外方に突出するように形成されていることを特徴とするゴミ箱。
【請求項２】
前記第１嵌挿部と前記第２嵌挿部とは、それぞれ、互いに対向する一対の長辺と互いに対向する一対の短辺とを有する断面略矩形状の筒状体であり、
前記係合部は、前記第１嵌挿部における前記一対の短辺のそれぞれに形成され、
前記被係合部は、前記第２嵌挿部における前記一対の短辺のそれぞれに形成されていることを特徴とする請求項１に記載のゴミ箱。
【請求項３】
前記係合解除操作部は、前記係合凸部又は前記係合受容部よりも開口端側に設けられ、
前記被係合部は、前記係合凸部又は前記係合受容部を挟んで前記係合解除操作部と反対側の一部に、前記被係合部の他の部分よりも肉厚が薄い薄肉部を備え、
前記薄肉部は、前記第２嵌挿部の周方向に沿って延ばされるように形成されていることを特徴とする請求項２に記載のゴミ箱。
【請求項４】
前記第１嵌挿部は、前記第１ゴミ箱部の上端部に形成され、
前記第２嵌挿部は、前記第２ゴミ箱部の下端部に形成され、
前記係合解除操作部は、前記被係合部の下端に形成され、
前記薄肉部は、前記係合凸部又は前記係合受容部を挟んで前記係合解除操作部の上方に形成されていることを特徴とする請求項３に記載のゴミ箱。
【請求項５】
前記第1嵌装部は、前記第１ゴミ箱部の上端部に形成され、
前記第２嵌装部は、前記第２ゴミ箱部の下端部に形成され、
前記第２嵌装部は、当該第２嵌装部に設けられた前記係合凸部または前記係合受容部の何れか一方よりも下方に延びる部分を備え、
前記係合解除操作部は、この第２嵌装部のうちの前記係合凸部または前記係合受容部の何れか一方よりも下方に延びる部分の外周面から外方に延びる部分と、この外方に延びる部分の先端から下方に延びる部分とを備える、ことを特徴とする請求項１〜４の何れか1項に記載のゴミ箱。
【発明の詳細な説明】
【技術分野】
【０００１】
本発明は、ゴミ箱、より詳しくは、第１ゴミ箱部とその第１ゴミ箱部の上に取り外し可能に重ねられる第２ゴミ箱部とを備えたゴミ箱に関する。
【背景技術】
【０００２】
従来から、第１ゴミ箱部と、その第１ゴミ箱部の上に取り外し可能に重ねられる第２ゴミ箱部とを備えたゴミ箱は知られており、例えば特許文献１にそのようなゴミ箱が開示されている。この特許文献１に開示されたゴミ箱は、第１ゴミ箱部と、その第１ゴミ箱部の上に取り外し可能に重ねられる第２ゴミ箱部とを備え、又、第２ゴミ箱部の側壁の下端部に、内側に引き込むように形成した第２嵌挿部が設けられ、第１ゴミ箱部の上端部に、前記第２嵌挿部の外周側に取り外し可能に嵌挿する第１嵌挿部が設けられている。又、第２嵌挿部の周方向における互いに対向する位置に、外方に突設された係合凸部が設けられ、第１嵌挿部に、前記係合凸部のそれぞれに係脱自在に係合する係合孔が設けられている。そして、第２ゴミ箱部の第２嵌挿部を、第１ゴミ箱部の第１嵌挿部に嵌挿することにより、第１ゴミ箱部の係合孔に第２ゴミ箱部の係合凸部が入り込んで係合する。又、第２ゴミ箱部における係合凸部を有する２つの対向する側壁を互いに接近する方向に押圧操作する。これにより、側壁が撓んで係合凸部と係合孔との係合が外れ、第２ゴミ箱部を第１ゴミ箱部から取り外すことができるようになっている。
【先行技術文献】
【特許文献】
【０００３】
【特許文献１】特許第４７００２３１号公報
【発明の概要】
【発明が解決しようとする課題】
【０００４】
しかしながら、特許文献１では、係合凸部と係合孔との係合を解除操作する際、第２ゴミ箱部における係合凸部を有する２つの対向する側壁を互いに接近する方向に押圧操作して、係合凸部と係合孔との係合が外れるように側壁を撓ませなければならない。そのように、係合凸部と係合孔との係合が外れるように側壁を撓ませるのに、相当な力を要する。そのため、例えば力の弱い人では、第２ゴミ箱部を第１ゴミ箱部から取り外すことが困難な場合もある。
【０００５】
本発明は、第２ゴミ箱部を第１ゴミ箱部から容易に取り外すことができるゴミ箱を提供することを目的とする。
【課題を解決するための手段】
【０００６】
本発明の一態様にかかるゴミ箱は、第１ゴミ収納部を有する第１ゴミ箱部と、前記第１ゴミ箱部の上に取り外し可能に重ねられ第２ゴミ収納部を有する第２ゴミ箱部とを備えたゴミ箱であって、前記第１ゴミ箱部の上端部と前記第２ゴミ箱部の下端部との何れか一方の端部に当該端部の全周にわたって延びるように形成された第１嵌挿部と、前記何れか他方の端部に当該端部の全周にわたって延びるように形成され且つ前記第１嵌挿部の外周側に嵌挿する第２嵌挿部と、前記第１嵌挿部の周方向の一部に当該第1嵌装部の周面の一部を構成するように形成され且つ互いに対向するように配置された２つの係合部と、前記第２嵌挿部の周方向の一部に当該第２嵌装部の周面の一部を構成するように形成され且つ前記第１嵌挿部と前記第２嵌挿部との嵌挿に応じて前記係合部のそれぞれと係脱自在に係合する２つの被係合部と、前記係合部と前記被係合部との係合を解除操作する係合解除操作部とを備え、前記係合部と前記被係合部との何れか一方は、その周面から他方の周面に向かって突出する係合凸部を備え、前記係合部と前記被係合部との何れか他方は、その周面に形成されて前記係合凸部を係脱自在に受容する係合受容部を備え、前記被係合部は、可撓性を有し、前記係合解除操作部は、前記被係合部の少なくとも一つに、外方に突出するように形成されていることを特徴とする。
【０００７】
これによれば、係合解除操作部は、可撓性を有する被係合部の少なくとも一つに形成されているため、例えば係合解除操作部が外方に引き操作されれば、被係合部が容易に撓み、係合部と被係合部との係合が解除する。又、その際、係合解除操作部が外方に突出するように形成されているため、例えば係合解除操作部に指を掛けて操作でき、係合解除操作部の操作を容易に行うことができる。
【０００８】
さらに、これによれば、例えば第１嵌挿部と第２嵌挿部とが嵌挿される際に、係合凸部が係合受容部に受容されて係合する。又、係合解除操作部の操作に伴う被係合部の撓みに際して、係合凸部が係合受容部から容易に外れ、係合凸部と係合受容部との係合解除が容易なものにできる。
【０００９】
前記第１嵌挿部と前記第２嵌挿部とは、それぞれ、互いに対向する一対の長辺と互いに対向する一対の短辺とを有する断面略矩形状の筒状体であり、前記係合部は、前記第１嵌挿部における前記一対の短辺のそれぞれに形成され、前記被係合部は、前記第２嵌挿部における前記一対の短辺のそれぞれに形成されている構成にできる。
【００１０】
これによれば、例えば係合解除操作部を操作して第１嵌挿部の一方の短辺の係合部と第２嵌挿部の一方の短辺の被係合部との係合を解除し、その係合解除状態から、第２ゴミ箱部の他方の短辺の下端を中心に第２ゴミ箱部の短辺を第２ゴミ箱部に対して上方に回動操作する。これにより、その回動に際して、第１嵌挿部の他方の短辺の係合部と第２嵌挿部の他方の短辺の被係合部との係合も外れる。
【００１１】
その際、第２ゴミ箱部の一対の短辺同士の距離が、一対の長辺同士の距離よりも大きいため、第２ゴミ箱部の少ない回動量で第１嵌挿部の他方の係合部と第２嵌挿部の他方の被係合部との係合が外れる。これにより、より簡単に、第２ゴミ箱部を第１ゴミ箱部から取り外すことができる。
【００１２】
前記係合解除操作部は、前記係合凸部又は前記係合受容部よりも開口端側に設けられ、前記被係合部は、前記係合凸部又は前記係合受容部を挟んで前記係合解除操作部と反対側の一部に、前記被係合部の他の部分よりも肉厚が薄い薄肉部を備え、前記薄肉部は、前記第２嵌挿部の周方向に沿って延ばされるように形成されている構成にできる。
【００１３】
これによれば、係合解除操作部を操作すれば、被係合部の薄肉部が容易に撓み、係合部と被係合部との係合を解除できる。これにより、係合部と被係合部との係合解除操作が、より一層、容易なものになる。
【００１４】
前記第１嵌挿部は、前記第１ゴミ箱部の上端部に形成され、前記第２嵌挿部は、前記第２ゴミ箱部の下端部に形成され、前記係合解除操作部は、前記被係合部の下端に形成され、前記薄肉部は、前記係合凸部又は前記係合受容部を挟んで前記係合解除操作部の上方に形成されている構成にできる。
【００１５】
これによれば、例えば１つの係合解除操作部を斜め外上方に引き操作することにより、被係合部が撓んで一方の係合部と一方の被係合部との係合が解除するとともに、第２ゴミ箱部の下端を中心にして第２ゴミ箱部が第１ゴミ箱部に対して回動し、第１嵌挿部の他方の係合部と第２嵌挿部の他方の被係合部との係合も外れる。従って、１つの係合解除操作部を操作することにより、係合した２つの係合部と被係合部とのそれぞれの係合を解除でき、解除操作を簡単なものにできる。
【００１６】
前記第1嵌装部は、前記第１ゴミ箱部の上端部に形成され、前記第２嵌装部は、前記第２ゴミ箱部の下端部に形成され、前記第２嵌装部は、当該第２嵌装部に設けられた前記係合凸部または前記係合受容部の何れか一方よりも下方に延びる延出部を備え、前記係合解除操作部は、この第２嵌装部の延出部の外周面から外方に延びる部分と、当該部分の先端から下方に延びる部分とを備える、構成にできる。
【発明の効果】
【００１７】
本発明のゴミ箱は、第２ゴミ箱部を第１ゴミ箱部から容易に取り外すことができる。
【図面の簡単な説明】
【００１８】
【図１】本発明の一実施形態のゴミ箱の斜視図である。
【図２】図１のゴミ箱の平面図である。
【図３】図１のゴミ箱の側面図である。
【図４】図２のＩＶ−ＩＶ線断面図である。
【図５】図２のＶ−Ｖ線断面図である。
【図６】図１のゴミ箱の第２ゴミ箱部の半断面図である。
【図７】図６の第２ゴミ箱部の要部拡大断面図である。
【図８】図１のゴミ箱における第１ゴミ箱部の第１係合部と第２ゴミ箱部の第１被係合部との係合状態の要部拡大断面図である。
【図９】図１のゴミ箱における第１ゴミ箱部の第２係合部と第２ゴミ箱部の第２被係合部との係合状態の要部拡大断面図である。
【図１０】図１のゴミ箱における第２ゴミ箱部の蓋部材の要部拡大断面図である。
【図１１】第２ゴミ箱部を第１ゴミ箱部から取り外す際の説明図である。
【発明を実施するための形態】
【００１９】
以下、本発明の一実施形態のごみ箱について、図を参照しつつ説明する。図１は、本発明の一実施形態のごみ箱の斜視図、図２は、図１のゴミ箱の平面図、図３は、図１のゴミ箱の側面図である。又、図４は、図２のＩＶ−ＩＶ線断面図、図５は、図２のＶ−Ｖ線断面図である。尚、図のＸ方向を前側、図のＹ方向を後側とし、又、図のＺ方向を右側、図のＷ方向を左側として説明する。
【００２０】
この実施形態のごみ箱１０は、図１〜図３に示すように、第１ゴミ箱部１と、第１ゴミ箱部１の上に積み重ねられる第２ゴミ箱部２とを備えている。
【００２１】
第１ゴミ箱部１は、枠部３と、枠部３に取り外し自在に保持された第１ゴミ箱本体部４とを備えている。
【００２２】
枠部３は、枠部本体３１と、枠部本体３１の上端に形成された第１嵌挿部３２とを備えている。枠部本体３１は、上方が開放された略直方体形状をなしており、又、前面に、第１ゴミ箱本体部４を出し入れする出し入れ口３４を備えている。
【００２３】
枠部本体３１の下端における後部には、左右一対の車輪３３（図３、図４に図示）が転がり可能に付設されるようになっている。
【００２４】
又、枠部本体３１の下端における前部に、図４に示すように位置決め用突部３１ａが設けられている。位置決め用突部３１ａは、枠部３に対する第１ゴミ箱本体部４を位置決めするとともに、後述のように、第１ゴミ箱本体部４を回動操作する際の回動の軸になるもので、上方に突出するように形成されている。
【００２５】
第１嵌挿部３２は、この実施形態では、枠部本体３１の全周にわたって形成されており、前側の第１側片（短辺）３２ａ、右側の第２側片（長辺）３２ｂ、後側の第３側片（短辺）３２ｃ及び第４側片（長辺）３２ｄの４つの側片を有する断面略矩形状の筒状体からなる。
【００２６】
第１側片３２ａから、その第１側片３２ａと対向する第３側片３２ｃまでの距離Ｌ１は、第１嵌挿部の第２側片３２ｂから、その第１嵌挿部の第２側片３２ｂと対向する第１嵌挿部の第４側片３２ｄまでの距離Ｌ２よりも大きく形成されている。
【００２７】
又、第１嵌挿部３２は、第２ゴミ箱部２を当て止めする当て止め部３６（図８参照）を備えている。この実施形態の当て止め部３６は、第１側片３２ａから第４側片３２ｄにかけて、全周にわたって、第１嵌挿部の第１側片３２ａ〜第１嵌挿部の第４側片３２ｄのそれぞれの外面から外方に突出するように形成されている。
【００２８】
又、図４に示すように、第１嵌挿部３２の第１側片３２ａの周方向の一部には、第１係合部（係合部）６ａが、第１嵌挿部３２の第３側片３２ｃの周方向の一部には、第２係合部（係合部）６ｂが、それぞれ形成されている。
【００２９】
第１係合部６ａと第２係合部６ｂとは、互いに対向する位置に形成されている。又、第１係合部６ａは、この実施形態では、図８に示すように外面から内面に貫通するようにして幅長状に形成された第１係合孔（係合受容部）６１を備えている。尚、係合受容部は、第１係合孔６１から構成される形態のものに限らず、例えば外面から所定の深さで凹んだ係合凹部でもよく、適宜変更できる。
【００３０】
第２係合部６ｂは、図９に示すように外方に突出するようにして幅長状に形成された第２係合凸部６２を備えている。
【００３１】
第１ゴミ箱本体部４は、略直方体状のものからなり、内部に第１ゴミ収納部４１ａを有する。第１ゴミ収納部４１ａは、上方にゴミ投入用開口４１ｂを備えている。
【００３２】
又、第１ゴミ箱本体部４は、図４に示すように下面における前部側に、位置決め用受容凹部４２を備えている。位置決め用受容凹部４２は、枠部本体３１の位置決め用突部３１ａが回動自在に入り込むように、第１ゴミ箱本体部４の下面から凹まされるように形成されている。
【００３３】
又、第１ゴミ箱本体部４は、下面における位置決め用受容凹部４２の前方側に、第１ゴミ箱本体部４を回動操作するための操作ペダル４３を備えている。
【００３４】
この操作ペダル４３は、第１ゴミ箱本体部４の前側壁から前方に突出するように前側壁に固定的に取り付けられている。
【００３５】
このように構成された第１ゴミ箱本体部４は、枠部本体３１の出し入れ口３４から、位置決め用受容凹部４２に枠部本体３１の位置決め用突部３１ａが入るようにして、枠部本体３１に収納されている。
【００３６】
第２ゴミ箱部２は、第２ゴミ箱本体部２１と、第２ゴミ箱本体部２１の下端に設けられた第２嵌挿部２２と、蓋部材５とを備えている。第２ゴミ箱本体部２１は、略直方体状のものからなり、図６に示すように、内部に第２ゴミ収納部２１ａを有する。第２ゴミ収納部２１ａは、上方にゴミ投入用開口２１ｂを備えている。
【００３７】
第２嵌挿部２２は、この実施形態では、第２ゴミ箱本体部２１の全周にわたって形成されており、前部側の第１側片（短辺）２２ａ（図１に図示）、右部側の第２側片（長辺）２２ｂ、後部側の第３側片（短辺）２２ｃ及び左部側の第４側片（長辺）２２ｄの４つの側片を有する断面略矩形状の筒状体からなり、各側片２２ａ〜２２ｄは、厚さが１．７ｍｍ程度で可撓性を有する。
【００３８】
この実施形態の第２嵌挿部２２は、第１嵌挿部３２の外周側に嵌挿されるように形成されており、第１嵌挿部と同様に、第２嵌挿部２２の第１側片２２ａから、それに対向する第３側片２２ｃまでの距離Ｌ３（図４に図示）は、第２嵌挿部２２の第２側片２２ｂから、それに対向する第２嵌挿部の第４側片２２ｄまでの距離Ｌ４（図５に図示）よりも大きく形成されている。
【００３９】
又、第１側片２２ａの周方向の一部には、図８に示すように第１ゴミ箱本体部４の第１係合部６ａと係脱自在に係合する第１被係合部（被係合部）７ａが形成されている。この第１被係合部７ａは、可撓性を有する第１側片２２ａの一部に形成されることによって第１被係合部７ａが可撓性を有するものとされている。
【００４０】
又、第１被係合部７ａは、第１係合部６ａの第１係合孔６１と係脱自在な第１係合凸部７１を備えている。第１係合凸部７１は、第１係合孔６１に入り込み可能に、第２嵌挿部２２の第１側片２２ａの内面から内方に突出するように形成されている。
【００４１】
又、第２嵌挿部の第３側片２２ｃにおける周方向の一部には、図９に示すように第１ゴミ箱本体部４の第２係合部６ｂと係脱自在に係合する第２被係合部（被係合部）７ｂが形成されている。この第２被係合部７ｂも、可撓性を有する第１側片２２ｃの一部に形成されることによって第２被係合部７ｂも可撓性を有している。
【００４２】
又、図７、図９に示すように、第２被係合部７ｂは、第１ゴミ箱本体部４の第２係合部６ｂにおける第２係合凸部６２と係脱自在な第２係合孔（係合受容部）７２を備えている。第２係合孔７２は、第２係合凸部６２が入り込み可能に、第２嵌挿部の第３側片２２ｃの内面から外面に貫通するように形成されている。尚、この係合受容部も、係合孔７２から構成されるものに限らず、例えば第２係合凸部６２が入り込み可能に、第２嵌挿部の第３側片２２ｃの内面から凹ませるように形成した係合凹部でもよく、適宜変更できる。
【００４３】
又、この実施形態では、第２嵌挿部の第３側片２２ｃには、図５、図６に示すように第１ゴミ箱本体部４の第２係合部６ｂと第２被係合部７ｂとの係合を解除操作する係合解除操作部８が設けられている。この実施形態の係合解除操作部８は、第２嵌挿部の第３側片２２ｃにおける第２係合孔７２の下方位置に、第２係合孔７２の幅長さＬ５よりも広い幅長さＬ６で、図４、図７に示すように第３側片２２ｃの下端部から断面略Ｌ字状に外方に突出するように形成されている。
【００４４】
又、この実施形態では、第２嵌挿部の第３側片２２ｃにおける第２係合孔７２を挟んで係合解除操作部８の上方位置に、薄肉部８１が設けられている。この薄肉部８１は、第３側片２２ｃにおける第２係合孔７２の上方部位を撓み易いようにするためのもので、第２嵌挿部の第３側片２２ｃにおける第２係合孔７２を挟んで係合解除操作部８の上方部位を第２嵌挿部の周方向に沿って所定長さで、第３側片２２ｃの外面から凹ませて肉厚を他の部分よりも薄く形成されている。
【００４５】
そして、このように形成された係合解除操作部８は、外方に引き操作されると、それに伴い、図９中に一点鎖線で示すように主に薄肉部８１が撓んで第３側片２２ｃの一部が外方に膨らんで、第２係合孔７２が第２係合凸部６２から抜けた係合解除状態になる。
【００４６】
次に、第２ゴミ箱部２の蓋部材５について説明する。蓋部材５は、図１〜図５に示すように１第２ゴミ箱本体部２１のゴミ投入用開口２１ｂを覆える大きさのものからなり、この実施形態の蓋部材５は、第２ゴミ箱本体部２１に取り付けられる本体取付部５１と、本体取付部５１の上方に配設されゴミ投入用開口２１ｂを開閉する開閉部５２と、開閉部５２を開操作する開操作部５３とを備えている。
【００４７】
本体取付部５１は、左右の両側に、取付孔５１ｂを有する取付片５１ａを備えている。そして、この取付片５１ａの取付孔５１ｂが、第２ゴミ箱本体部２１の上端に設けられた突片２１ｃに取り外し可能に取り付けられている。
【００４８】
開閉部５２は、本体取付部５１の上方側に配設され、開閉部５２の後端が本体取付部５１の後上端に回動自在に連結されている。又、開閉部５２は、図１０に示すように、その前端に、開操作部５３に係脱自在に係止された係止片５２ａを備えている。又、この実施形態では、図４、図５に示すように、第２ゴミ箱本体部２１に付設された付勢バネ５５によって開閉部５２の前端側が上方側に付勢されている。
【００４９】
開操作部５３は、この実施形態では、図１０に示すように本体取付部５１の前上方側、且つ、開閉部５２の前方側に配設されており、後部が本体取付部５１に回動自在に取り付けられている。又、開操作部５３は、図示しない付勢バネによって、前部側が上方側に付勢されている。
【００５０】
又、開操作部５３の後部には、開閉部５２の係止片５２ａを係止する係止孔５３ａを備えている。
【００５１】
次に、本実施形態のごみ箱１０の動作について説明する。例えば、第１ゴミ箱本体部４の第１ゴミ収納部４１ａにゴミを収納する場合は、操作ペダル４３を踏み操作する。これにより、図４に示すように第１ゴミ箱本体部４が枠部本体３１の位置決め用突部３１ａを中心に回動して第１ゴミ箱本体部４の前上部側が枠部３から前方側に突出し、それに伴い、ゴミ投入用開口４１ｂの一部が露出する。従って、この状態で、ゴミ投入用開口４１ｂからゴミ収納部４１ａにゴミを入れることができる。
【００５２】
一方、例えば、第２ゴミ箱本体部２１のゴミ収納部２１ａにゴミを収納する場合は、開操作部５３の前端部を下方側に押圧操作する。これにより、図１０に一点鎖線示すように開操作部５３の後端を中心に前端が下方側に回動し、その回動に際して、係止孔５３ａから開閉部５２の係止片５２ａが外れる。これにより、開閉部５２は、付勢バネ５５（図４に図示）の付勢力によって開閉部５２の前端側が上方側に回動して、第２ゴミ箱本体部２１のゴミ投入用開口２１ｂが開口状態になる。尚、開操作部５３は、押圧操作が止められると、図示しない付勢バネによって前端が上方側に回動して元の状態に戻る。
【００５３】
従って、この状態で、第２ゴミ箱本体部２１のゴミ投入用開口２１ｂから第２ゴミ収納部２１ａにゴミを入れることができる。
【００５４】
尚、第２ゴミ収納部２１ａにゴミを入れた後、ゴミ投入用開口２１ｂを閉める場合は、開閉部５２の前端側が付勢バネ５５の付勢力に抗して下方側に押圧されると、開閉部５２の係止片５２ａが開操作部５３の後部を押圧し開操作部５３を回動させて係止孔５３ａに入り込む。そして、入り込んだ後は、開操作部５３が図示しない付勢バネによって前端が上方側に回動して図１０に示す元の状態になり、開閉部５２は開操作部５３に係止されてゴミ投入用開口２１ｂを閉めた状態に維持される。
【００５５】
第２ゴミ箱部２を、第１ゴミ箱部１から取り外す場合は、図９に示すように係合解除操作部８を、例えば指で引っ掛けるようにして、図９の右斜め上方側（Ｐ方向）に引き上げ操作する。これにより、図９中に２点鎖線で示すように主に薄肉部８１が撓んで第３側片２２ｃの一部が外方に膨らみ、第２係合孔７２が第２係合凸部６２から抜けた係合解除状態になる。
【００５６】
更に、係合解除操作部８を、引き上げ操作すると、図１１に示すように第２ゴミ箱部２は、当て止め部３６に当接した第１側片２２ａの下端を中心に回動する。そして、その回動に際して、第１被係合部７ａの第１係合凸部７１が第１係合部６ａの第１係合孔６１から抜け出て第１被係合部７ａと第１係合部６ａとの係合も解除される。
【００５７】
その際、第２ゴミ箱部２の第１側片と第３側片との距離が、第２側片と第４側片との距離よりも大きく形成されているため、第２ゴミ箱部２の少ない回動量で第１嵌挿部の係合部と第２嵌挿部の被係合部との係合が外れ、より簡単に、第２ゴミ箱部２を第１ゴミ箱部１から取り外すことができる。
【００５８】
尚、上記実施形態では、第１ゴミ箱部１は第１嵌挿部３２を備え、第２ゴミ箱部２は第２嵌挿部２２を備えているが、この形態のものに限らず、適宜変更でき、例えば第１ゴミ箱部１が第２嵌挿部を備え、第２ゴミ箱部２が第１嵌挿部を備えたものでもよい。
【００５９】
又、上記実施形態では、第１ゴミ箱部１の第１係合部６ａは係合孔（係合受容部）６１を備え、第２ゴミ箱部２の第１被係合部７ａは係合凸部７１を備えたものとされているが、この形態のものに限らず、例えば第１係合部６ａは係合凸部を備え、第２ゴミ箱部２の第１被係合部７ａは係合受容部を備えたものでもよく、適宜変更できる。
【００６０】
又、上記実施形態では、第１ゴミ箱部１の第２係合部６ｂは係合凸部６２を備え、第２ゴミ箱部２の第２被係合部７ｂは係合孔（係合受容部）７２を備えたものとされているが、この形態のものに限らず、例えば第２係合部６ｂは係合受容部を備え、第２ゴミ箱部２の第２被係合部７ｂは係合受容部を備えたものでもよく、適宜変更できる。
【００６１】
又、上記実施形態では、係合解除操作部８は、第２ゴミ箱部２の第３側片２２ｃに形成されたが、この形態のものに限らず、適宜変更でき、第２ゴミ箱部２の第１側片２２ａに形成され、或いは第２ゴミ箱部２の第１側片２２ａと第３側片２２ｃとの両方に形成されてもよい。又、第１ゴミ箱部１が第２嵌挿部を備え、第２ゴミ箱部２が第１嵌挿部を備えたものとされた場合に、係合解除操作部８は、第１ゴミ箱部１の第１側片と第３側片との一方又は両方に形成されてもよい。
【００６２】
又、上記実施形態では、第１ゴミ箱部１の第１嵌挿部及び第２ゴミ箱部２の第２嵌挿部それぞれの第１側片と第３側片との距離が、第２側片と第４側片との距離よりも大きく形成されているが、この形態のものに限らず、適宜変更できる。例えば第１側片と第３側片との距離が、第２側片と第４側片との距離と同じ又は小さく形成されてもよい。
【符号の説明】
【００６３】
１    第１ゴミ箱部
２    第２ゴミ箱部
３    枠部
４    第１ゴミ箱本体部
６ａ    第１係合部（係合部）
６ｂ    第２係合部（係合部）
７ａ    第１被係合部（被係合部）
７ｂ    第２被係合部（被係合部）
８    係合解除操作部
２１ａ    第２ゴミ収納部
２２    第２嵌挿部
３２    第１嵌挿部
４１ａ    第１ゴミ収納部
【図１】
0006435382.tif 000002
【図２】
0006435382.tif 000003
【図３】
0006435382.tif 000004
【図４】
0006435382.tif 000005
【図５】
0006435382.tif 000006
【図６】
0006435382.tif 000007
【図７】
0006435382.tif 000008
【図８】
0006435382.tif 000009
【図９】
0006435382.tif 000010
【図１０】
0006435382.tif 000011
【図１１】
0006435382.tif 000012